(57)【要約】【課題】ユーザに負担をかけずに項目の選択を行う。【解決手段】LCDパネル１８は、ドラム形状の枠３１に複数の選択項目を所定の方向に整列させて表示し、表示される複数の選択項目のいずれかを選択するための情報が入力される。LCDパネル１８は、入力された情報に応じて、複数の選択項目を所定の方向に移動させて表示するとともに、所定の方向に整列している選択項目について、ドラム形状の枠３１の略中央から段階的にサイズを縮小して表示する。【選択図】図７
2010205280.tif 000002
【特許請求の範囲】
【請求項１】
所定の領域に複数の選択項目を所定の方向に整列させて表示する表示手段と、
前記表示手段に表示される前記複数の選択項目のいずれかを選択するための情報を入力する入力手段と
を備え、
前記表示手段は、前記入力手段により入力された前記情報に応じて、前記複数の選択項目を前記所定の方向に移動させて表示するとともに、前記所定の方向に整列している選択項目について、前記所定の領域の略中央から段階的にサイズを縮小して表示する
選択項目表示装置。
【請求項２】
前記表示手段は、前記入力手段により入力された前記情報に応じて、前記複数の選択項目を前記所定の方向に移動させて表示するとともに、前記所定の方向に整列している選択項目について、前記所定の領域の略中央から段階的に色の濃淡を変化させて表示する
請求項１に記載の選択項目表示装置。
【請求項３】
前記表示手段は、前記複数の選択項目を巡回させるように表示する
請求項１に記載の選択項目表示装置。
【請求項４】
前記表示手段は、前記所定の領域として、ドラム状の枠を表示する
請求項３に記載の選択項目表示装置。
【請求項５】
被写体を撮像する撮像手段と、
前記撮像手段により撮像された画像を表示するとともに、所定の領域に複数の選択項目を所定の方向に整列させて表示する表示手段と、
前記表示手段に表示される前記複数の選択項目のいずれかを選択するための情報を入力する入力手段と
を備え、
前記表示手段は、前記入力手段により入力された前記情報に応じて、前記複数の選択項目を前記所定の方向に移動させて表示するとともに、前記所定の方向に整列している選択項目について、前記所定の領域の略中央から段階的にサイズを縮小して表示する
撮像装置。
【請求項６】
被写体を撮像する撮像手段と、
前記撮像手段により撮像された画像を表示するとともに、所定の領域に複数の選択項目を所定の方向に整列させて表示する表示手段と、
前記表示手段に表示される前記複数の選択項目のいずれかを選択するための情報を入力する入力手段と
を備える撮像装置の撮像方法において、
前記撮像手段が、被写体を撮像する撮像ステップと、
前記表示手段が、前記撮像ステップの処理により撮像された画像を表示するとともに、所定の領域に複数の選択項目を所定の方向に整列させて表示する表示ステップと、
前記入力手段が、前記表示ステップの処理で表示される前記複数の選択項目のいずれかを選択するための情報を入力する入力ステップと
を含み、
前記表示ステップは、前記入力ステップの処理により入力された前記情報に応じて、前記複数の選択項目を前記所定の方向に移動させて表示するとともに、前記所定の方向に整列している選択項目について、前記所定の領域の略中央から段階的にサイズを縮小して表示する
撮像方法。
【発明の詳細な説明】
【技術分野】
【０００１】
本発明は、選択項目表示装置、撮像装置および撮像方法に関するものであり、詳しくはタッチパネル操作が行える画面を備えたカメラにおいて、この画面を利用して、３次元的に表示したり、タッチパネル操作が行える画面に表示する項目に対する補助表示を表示したり、タッチパネル操作が行える画面に表示するボタンの機能をアニメーションで表示したり、記録タイマーをタッチパネル操作が行える画面上に表示したりするといった、様々な機能をタッチパネル操作が行える画面を利用して行うようにした選択項目表示装置、撮像装置および撮像方法に関する。
【背景技術】
【０００２】
（１）従来の、ビデオカメラレコーダーやデジタルスチルカメラのような撮像装置において、撮影機能と記録画の再生機能は通常別々のモードとしてスイッチ切換により提供されているものが周知である。その中でも、撮影直後に記録した画を確認したいという要求を満たすため、簡易再生（以下、レビュー再生）機能を搭載している機器は数多い。
【０００３】
従来記録した画の記録先がテープメディアであった場合のレビュー再生機能としては記録画の最後の数秒間、例えば５秒間を再生していた。また、近年はビデオカメラレコーダーにも半導体メディアやディスク記録メディアなどに画像を記録する機能を有するものが増えてきている。半導体メディアのように画をファイル単位で記録する場合のレビュー再生機能としては、記録画が静止画だった場合には最後に記録した画を、記録画が動画であった場合には動画の先頭を静止画として表示することで記録画の確認を行っていた。
【０００４】
（２）一方、従来の、タッチパネル操作が行える画面を備えた撮像装置において、この画面に平面的に複数の項目を並べて表示するＧＵＩ（Ｇｒａｐｈｉｃ  Ｕｓｅｒ  Ｉｎｔｅｒｆａｃｅ）においては、マウスなどの入力装置によって、カーソルを移動させ、項目のうちの一つを選択するものが周知である。
【０００５】
（３）又、最近の撮像装置では、タッチパネル操作が行える液晶パネル等表示器を搭載した製品が主流となり、小型化に伴い、表示器も小型化が進むと共に、機能的には多機能化が進み、取扱い説明書を参照しないと実現できない機能も存在する。
【０００６】
（４）更に、従来は、ビデオカメラなどのタッチパネルを入力デバイスとして用いる機器において、タッチパネル上のボタンをユーザが触ることにより、音や色を変えることで反応したことを知らせるというものが周知である。
【０００７】
（５）さらに、撮像装置でタイマーを用いた撮像を行う場合、撮影するタイミングを撮影者、被写体へ伝える手法は、例えばＬＥＤを点滅させる周期を変えて、撮像する瞬間を教えるというものが周知である。
【０００８】
しかしながら、従来技術で説明した（１）に関する撮像装置において、動画の先頭を静止画として表示した場合には、撮影した画が動画として意図どおりに記録されたかどうかを判断することが困難であり、記録した画を確認したいという本来の要求を完全に満たすことができないという問題がある。
【０００９】
更に、従来技術で説明した（３）に関する撮像装置において、最近の撮像機器では液晶パネル等表示器を搭載した製品が主流となっているが、その小型化に伴い、表示器においても小型化が進み、一度に表示できる内容が少なくなってきているという問題がある。又、最近の撮像機器では多機能化が進み、操作手順が複雑になっているため、取扱説明書を参照しないと実現できない機能も多くなってきているという問題もある。
【００１０】
さらに、撮像機器においては、通常、撮影する画像又は撮影した画像を表示するため、その画像の邪魔にならないよう表示を行う必要がある。
【００１１】
このように、表示したい情報量が多くなってきている反面、表示可能な情報量が少なくなってきているという問題がある。
【００１２】
また、従来技術で説明した（４）に関する撮像装置において、従来のようにタッチパネルを入力デバイスとして用いていると、タッチパネル上のボタンをユーザが触ったときに、音や色を変えることで反応したことを示すことができるが、音を消している場合は聞こえず、色を変えることでは反応したことが分かりづらいという問題がある。
【００１３】
従って、ボタンを触ったときに、その応答をボタンのアニメーションで示すことにより明快な操作感をユーザに伝えることに解決しなければならない課題を有する。
【００１４】
更に、従来技術で説明した（５）に関する撮像装置において、撮像装置でタイマーを用いて撮像を行う場合、撮影するタイミングを撮影者、被写体へ伝える手法は、主に音や静止した文字やＬＥＤの光のみの表現であった。そのため、タイマー撮影を行う多くの場合、撮像装置から離れて、撮影を行う。その際、撮影者へ伝えるタイミングが伝わらない場合があった。例えば、視覚障害者が撮影を行う場合や、雑音の多い場所で撮影する際、タイミング音が聞きずらい場合等やＬＥＤの発光を工夫しても、撮影までの残時間が人間にとって明確ではないため、撮影するタイミングを逃がす等、撮影者、被写体に撮影のタイミングが伝わりにくかった。
【００１５】
従って、撮影者、被写体へ的確な撮影タイミングを伝えることに解決しなければならない課題を有する。
【先行技術文献】
【特許文献】
【００１６】
【特許文献１】特開２０００−１８４２４１号公報
【発明の開示】
【発明が解決しようとする課題】
【００１７】
ところで、従来技術で説明した（２）に関する撮像装置において、カーソルを移動させて項目を選択する場合、ユーザの視点は、常にカーソルを追従しており、選択すべき項目と視点の位置が離れていることにより、項目が小さかったり、項目の数が多い場合において、カーソル位置或いは選択すべき項目の位置を判別しにくくなり、項目の選択操作に負担がかかるという課題を有している。又、画面の端の項目にカーソルが位置しているときは、カーソルが位置している、つまりユーザが視点を置いている項目であるにもかかわらず、その前または次の項目については、更にカーソルを移動させない限り、その存在の有無や内容を把握できないという問題もある。
【００１８】
本発明は、このような状況に鑑みてなされたものであり、ユーザは常に中心部に視点を固定して、所望の項目を探すことができ、また、着目している項目の前後も常に把握できることで、ユーザに負担をかけずに項目の選択を行うことができるようにするものである。
【課題を解決するための手段】
【００１９】
本発明の一側面の選択項目表示装置は、所定の領域に複数の選択項目を所定の方向に整列させて表示する表示手段と、前記表示手段に表示される前記複数の選択項目のいずれかを選択するための情報を入力する入力手段と備え、前記表示手段は、前記入力手段により入力された前記情報に応じて、前記複数の選択項目を前記所定の方向に移動させて表示するとともに、前記所定の方向に整列している選択項目について、前記所定の領域の略中央から段階的にサイズを縮小して表示する。
【００２０】
前記表示手段には、前記入力手段により入力された前記情報に応じて、前記複数の選択項目を前記所定の方向に移動させて表示するとともに、前記所定の方向に整列している選択項目について、前記所定の領域の略中央から段階的に色の濃淡を変化させて表示させることができる。
【００２１】
前記表示手段には、前記複数の選択項目を巡回させるように表示させることができる。
【００２２】
前記表示手段には、前記所定の領域として、ドラム状の枠を表示させることができる。
【００２３】
本発明の一側面の撮像装置は、被写体を撮像する撮像手段と、前記撮像手段により撮像された画像を表示するとともに、所定の領域に複数の選択項目を所定の方向に整列させて表示する表示手段と、前記表示手段に表示される前記複数の選択項目のいずれかを選択するための情報を入力する入力手段とを備え、前記表示手段は、前記入力手段により入力された前記情報に応じて、前記複数の選択項目を前記所定の方向に移動させて表示するとともに、前記所定の方向に整列している選択項目について、前記所定の領域の略中央から段階的にサイズを縮小して表示する。
【００２４】
本発明の一側面の撮像方法は、被写体を撮像する撮像手段と、前記撮像手段により撮像された画像を表示するとともに、所定の領域に複数の選択項目を所定の方向に整列させて表示する表示手段と、前記表示手段に表示される前記複数の選択項目のいずれかを選択するための情報を入力する入力手段とを備える撮像装置の撮像方法であって、前記撮像手段が、被写体を撮像する撮像ステップと、前記表示手段が、前記撮像ステップの処理により撮像された画像を表示するとともに、所定の領域に複数の選択項目を所定の方向に整列させて表示する表示ステップと、前記入力手段が、前記表示ステップの処理で表示される前記複数の選択項目のいずれかを選択するための情報を入力する入力ステップとを含み、前記表示ステップは、前記入力ステップの処理により入力された前記情報に応じて、前記複数の選択項目を前記所定の方向に移動させて表示するとともに、前記所定の方向に整列している選択項目について、前記所定の領域の略中央から段階的にサイズを縮小して表示する。
【００２５】
本発明の一側面においては、入力された情報に応じて、複数の選択項目が所定の方向に移動されて表示されるとともに、所定の方向に整列している選択項目について、所定の領域の略中央から段階的にサイズが縮小されて表示される。
【発明の効果】
【００２６】
本発明の一側面によれば、ユーザは常に中心部に視点を固定して、所望の項目を探すことができ、また、着目している項目の前後も常に把握できることで、ユーザに負担をかけずに項目の選択を行うことができる。
【図面の簡単な説明】
【００２７】
【図１】本発明に係る撮像装置の全体構成を示したブロック図である。
【図２】同、レビュー再生機能に入るための処理を示したフローチャートである。
【図３】同、レビュー再生機能のフローチャートである。
【図４】同、レビュー再生中の削除画面のフローチャートである。
【図５】同、静止画レビュー時の状態遷移を示したブロック図である。
【図６】同、動画レビュー時の状態遷移を示したブロック図である。
【図７】同、タッチパネル操作機能を備えた画面に、ドラム状の枠を表示して、項目を一覧表示させた一例を示す説明図である。
【図８】同、メニューから目的の項目を選択するためのフローチャートである。
【図９】同、項目を選択する際のタイプ１のドラム状の枠を動かして所望の項目を選択する様子を示した説明図である。
【図１０】同、項目を選択する際のタイプ２の項目を動かして、所望の項目を選択する様子を示した説明図である。
【図１１】同、メニューから項目を選択して記録するまでのフローチャートである。
【図１２】同、タッチパネル操作機能を備えた画面に表示されるドラム状の枠に表示される項目にサブメニューが存在する様子を説明した説明図である。
【図１３】同、項目を選択する際に補助表示をするためのフローチャートである。
【図１４】同、タッチパネル操作機能を備えた画面に表示する項目を一覧表示した状態を示す説明図である。
【図１５】同、タッチパネル操作機能を備えた画面に、ドラム状の枠を表示して、選択された項目の補助表示を表示させた一例を示す説明図である。
【図１６】同、補助表示をするためのフローチャートである。
【図１７】同、ボタンをアニメーションさせるための様子を示した説明図である。
【図１８】同、ボタンをアニメーションさせるためのフローチャートである。
【図１９】同、ボタンをアニメーションさせるための様子を示した説明図である。
【図２０】同、撮像装置の全体構成を示すブロック図である。
【図２１】同、タイマーで撮影するときの様子を示した説明図である。
【図２２】同、タイマーで撮影するときの様子を示した説明図である。
【図２３】同、タイマー撮影するときのフローチャートである。
【図２４】同、タイマー撮影するときのフローチャートである。
【図２５】同、タッチパネル操作機能を備えた画面において、メニューを選択したときの様子を示す説明図である。
【図２６】同、タッチパネル操作機能を備えた画面において、セルフタイマー項目を選択したときの様子を示す説明図である。
【図２７】同、タッチパネル操作機能を備えた画面において、連動の項目を選択したときの様子を示す説明図である。
【図２８】同、タイマー機能のタイムカウントの様子を示した説明図である。
【発明を実施するための形態】
【００２８】
次に、本願発明に係る撮像装置の様々な実施形態について、図面を参照して説明する。
【００２９】
本願発明に係る第１の実施形態の撮像装置は、図１に示すように、被写体を撮像するカメラ部１１と、カメラ部１１で撮像した映像信号を処理するカメラ信号処理部１２と、カメラ信号処理部１２からの記録映像信号と、オンスクリーンディスプレイ回路部２０からの記録重畳信号を切替える記録信号切替スイッチ１３と、カメラ部１１で撮像した映像信号を記録する記録回路部１４と、記録回路部１４からの映像信号を記録する記録／再生メディア１５と、記録／再生メディア１５に記録されている映像を再生する再生回路部１６と、再生回路部１６からの再生信号或いはカメラ信号処理部１２の映像信号とオンスクリーンディスプレイ回路部２０からの再生重畳信号とを切替える表示信号切替スイッチ１７と、表示信号切替スイッチ１７を介した信号を表示するＬＣＤパネル１８と、ＬＣＤパネル１８表面に搭載されているタッチパネル１９と、再生回路部１６からの信号とカメラ信号処理部１２からの信号を切替えて表示信号切替スイッチ１７に出力する記録再生信号切替スイッチ２０と、ボタン入力回路部２１からのボタン信号、記録回路部１４へのコントロール信号、再生回路部１６からのコントロール信号、タッチパネル１９からのタッチパネル入力情報、オンスクリーンディスプレイ回路部２２へのコントロール信号、オンスクリーンディスプレイメモリ２３へのコントロール信号といった、様々な信号やデータを制御するマイクロプロセッサ２４と、マイクロプロセッサ２４からのコントロール信号に基づいて、オンスクリーンディスプレイメモリ２３から所望の重畳信号を生成するオンスクリーンディスプレイ回路部２２と、オンスクリーンディスプレイ回路部２２に重畳表示するデータを格納してあるオンスクリーンディスプレイメモリ２３と、から大略構成されている。
【００３０】
このような構成において、マイクロプロセッサ２４には、様々な記録再生するのに必要な機能を発揮するためのアプリケーションが搭載されており、その中でも、記録状態のときに最後に撮影した画を確認するための簡易再生機能（以下、レビュー再生機能という）を備えている。このレビュー再生機能は、最後に記録した画が静止画だった場合には静止画を再生し、動画だった場合にはレビュー再生機能に入った段階で当該動画ファイルを先頭から自動的にレビュー再生する。
【００３１】
図５は、静止画レビュー時の状態遷移を示したもので、図５（Ａ）に示すように、撮影待機画がタッチパネル１９を備えたＬＣＤパネル１８に表示されているときに、レビュー再生機能に入ると、図５（Ｂ）に示すように、画面は「レビュー」、「消去」、「終了」の文字を重畳表示させてレビュー再生画面が表示される。このとき、「消去」を選択すると、図５（Ｃ）に示すように、画面上に「消去しますか？」の文字が重畳表示される。ここで重畳表示されている「実行」、「中止」のうち、「実行」を選択すると、図５（Ｄ）に示すように、実際に消去される。「中止」を選択すると、レビュー再生機能は中止し、当初の図５（Ａ）に示す撮影待機画面に戻る。
【００３２】
図６は、動画レビュー時の状態遷移を示したもので、図６（Ａ）に示すように、撮影待機画がタッチパネル１９を備えたＬＣＤパネル１８に表示されているときに、「レビュー」のボタンを選択してレビュー再生機能に入ると、図６（Ｂ）に示すように、最後に記録された動画のファイルが読み出され、その先頭からレビュー再生される。ここで、Ｓ/Ｓ（Ｓｔａｒｔ／Ｓｔｏｐ）キー、或いはＰＨＯＴＯキーを押すと、レビュー再生は終了して、図６（Ａ）に示す撮影時待機画面に戻る。重畳表示されている「消去」を選択すると、図６（Ｃ）に示すように、画面に「消去しますか？」の文字が重畳表示され、「実行」を選択すると、図６（Ｄ）に示すように、実際に消去され、消去が完了すると、図６（Ａ）に示す元の撮影待機画面に戻る。「中止」が選択されると、もとの撮影待機画面に戻る。
【００３３】
次に、レビュー再生機能に入るための処理について、図２に示すフローチャートを参照して説明する。
【００３４】
ここでは、レビュー再生機能に入るためには、タッチパネル１９上に設けられたボタンを使用するようにしているが、当該レビュー再生機能に入るためには、タッチパネル１９上のボタンに限るものではなく、例えば、ボタン入力回路部２１により入力するようにしてもよい。
【００３５】
マイクロプロセッサ２４は、オンスクリーンディスプレイ回路部２２、オンスクリーンディスプレイメモリ２３を制御して、ＬＣＤパネル１８上にボタンを表示する（ステップＳＴ１１）。
【００３６】
ユーザがタッチパネル１９上に触れることで、そのタッチパネル入力情報をマイクロプロセッサ２４は読み取り、ＬＣＤパネル１８上のボタンに相当される位置が押されたかどうかを判断する（ステップＳＴ１２、ＳＴ１３）。
【００３７】
タッチパネル１９上のレビュー再生機能ボタンが押された場合には、処理が有効かどうかを判断し、レビュー再生機能が有効な場合には、レビュー再生機能処理を実行する（ステップＳＴ１４、ＳＴ１５）。
【００３８】
ステップＳＴ１４にて、レビュー再生機能ボタンが押されていない場合、或いはボタンが押されたが機能が有効でない場合は、ステップＳＴ１２のボタン入力情報取得の処理に戻る。
【００３９】
次に、レビュー再生機能に入ってからの処理について、図３に示すフローチャートを参照して説明する。
【００４０】
先ず、マイクロプロセッサ２４は記録した画像を簡易再生するために記録画を確認する（ステップＳＴ２１）。
【００４１】
その後、記録した画がブラケット連写（画面の明るさを変えながら連写する機能）だった場合には再生回路部１６を制御し、ＬＣＤパネル１８に連写記録画のインデックスを記録／再生メディア１５から読出し、ＬＣＤパネル１８に再生する（ステップＳＴ２２、ＳＴ２３）。
【００４２】
ステップＳＴ２２にて、記録画がブラケット連写でなかった場合は、記録画の１枚を再生する（ステップＳＴ２４）。
【００４３】
その後、マイクロプロセッサ２４は再生画かどうかを判断する（ステップＳＴ２５）。再生画が動画であった場合には、動画ファイルをアクセスして当初から動画を再生する（ステップＳＴ２６）。
【００４４】
その後、ボタン押しを確認し、消去ボタンが押された場合には消去確認画面に遷移し、消去ボタンが押されていない場合には、終了／スタートストップ（ＳＳ；ＳｔａｒｔＳｔｏｐ／ＰＨＯＴＯ）のいずれかのボタンが押されていた場合は再生を終了してレビュー再生から抜ける（ステップＳＴ２８、ＳＴ２９、ＳＴ３０、ＳＴ３１）。
【００４５】
いずれのボタンも押されていない場合は、ステップＳＴ２７に戻り、ボタン押し確認処理に戻って繰り返す。
【００４６】
次に、レビュー中の消去確認画面の処理について、図４に示すフローチャートを参照して説明する。
【００４７】
先ず、マイクロプロセッサ２４は、ＬＣＤパネル１８に表示される消去確認画面をオンスクリーンディスプレイ回路部２２とオンスクリーンディスプレイメモリ２３を制御して、消去確認画面を表示する（ステップＳＴ４１）。
【００４８】
その後、オンスクリーンディスプレイ回路部２２とオンスクリーンディスプレイメモリ２３を制御して、ＬＣＤパネル１８上に中止、実行ボタン等のタッチパネルボタンを表示する（ステップＳＴ４２）。
【００４９】
そして、マイクロプロセッサ２４は、その後タッチパネル１９からのタッチパネル入力情報を取得し、消去ボタンが押された場合には、現在再生している画を記録回路部１４を介して記録／再生メディア１５から消去し、再生を終了してレビュー再生機能から抜ける（ステップＳＴ４３、ＳＴ４４、ＳＴ４６、ＳＴ４７）。
【００５０】
ステップＳＴ４４にて、消去ボタンが押されていない場合は、終了／スタートストップ（ＳＳ）／ＰＨＯＴＯの何れかのボタンが押されているか判断し、押されている場合は再生を終了してレビュー機能から抜ける（ステップＳＴ４５、ＳＴ４７）。いずれのボタンも押されていない場合は、ボタン入力の確認処理に戻って繰り返す。
【００５１】
このように撮像装置にレビュー再生機能を備えることで、撮影画が意図どおり記録されているかどうか撮影／再生スイッチを切り替えることなく簡単に確認、削除することができ、操作性を向上させることができる。
【００５２】
又、静止画と動画との記録状態をレビュー再生機能で区別して再生するようにしたことで、静止画／動画混在時に、動画／静止画のどちらかが撮れたかを区別できる。
【００５３】
更に、動画撮影時に意図どおりに動画が撮れたかどうか確認できるため撮影失敗時のリトライを極端な場合にはその場で再度記録することが容易に行えるようになり、このことは撮影失敗時の記録／再生メディア１５の記録容量の節約を可能にする。
【００５４】
さらに、レビュー再生中に、通常の復帰手段以外に記録ボタンの押下によって通常撮影待機状態に復帰できるようにしたことで、撮影の操作性を向上させることができる。
【００５５】
次に、本願発明の第２の実施形態の撮像装置について、図面を参照して説明する。
【００５６】
第２の実施形態の撮像装置は、タッチパネル操作が行える画面を備えた撮像装置であって、このタッチパネル操作が行える画面、実施例ではＬＣＤパネル、に表示される項目を選択する手法を具現化したものであり、以下、図面を参照して説明する。
【００５７】
尚、構成図においては、上記の第１の実施形態の撮像装置で説明した図１に示すブロック図と同様であるので、その説明は省略する。
【００５８】
図７に示すように、ＬＣＤパネル１８を有し、且つタッチパネル操作が可能な撮像装置のメニュー表示方式に適用され、撮像装置のＬＣＤパネル１８の画面にドラム形状の枠３１をビットマップで表示する。そして、そのドラム形状の枠３１上に複数の項目を表示する。例えば、その項目は「ファインダー」、「メモリーフェーダー」、「カラースローシャッター」、「ＵＳＢストリーム」、「レーザーＡＶリンク」、「パネルの明るさ」等である。このドラム形状の枠３１上に複数の項目を上下方向に整列させて表示する。
【００５９】
そして、ドラム形状の枠３１の中央にはカーソル３２を固定し、ドラム形状の枠３１の上下には項目を上下に移動させるための上方向ボタン３３、下方向ボタン３４が表示されている。この上方向ボタン３３或いは下方向ボタン３４を押す操作により、項目が上下に移動し、ドラム形状の枠３１の中央、つまりカーソル３２の位置から上または下に移動した項目については、段階的に、サイズは縦方向の縮小をしたり、色を薄くするように或いは濃くするように変化させて表示している。
【００６０】
ここで、ドラム形状の枠３１の各面に表示される項目は、文字であっても良いし、内容が視覚的に理解可能な図形等であっても良い。これらは、縦方向のサイズと色の濃淡を段階的に変更し、さらに、ドラム形状の枠３１上に項目を表示することで、ドラム形状の枠３１が巡回しているような立体感、即ち３Ｄ表示、が得られるように表示される。
【００６１】
また、項目を移動させる手段、項目を選択する手段は、タッチパネル操作に限定されるものではなく、上下方向への操作と押下可能な外部入力装置であっても構わない。
【００６２】
次に、マイクロプロセッサ２４が制御して、図７に示すドラム形状の枠３１で表示した項目を表示するまでのメニューメイン画面表示の一連の流れを図８に示すフローチャートに基づいて説明する。
【００６３】
先ず、ＬＣＤパネル１８上にパーソナルメニューを開くと、メニューが開かれる（ステップＳＴ５１、ＳＴ５２）。
【００６４】
そして、目的のインデックス項目を選択する操作をする（ステップＳＴ５３）。
【００６５】
例えば、図７においては、カーソル３２の位置に項目「ＵＳＢストリーム」があり、その上に「カラースローシャッター」、「メモリーフェーダー」等の項目を持ってくる。これは、一例であり、この項目の表示はこれらに限定されないことは勿論のことである。
【００６６】
そして、上方向ボタン３３或いは下方向ボタン３４を操作することで項目を移動させて所望の項目をカーソル３２の位置にもってくる（ステップＳＴ５４）。
【００６７】
目的のインデックス項目になったときに、その項目をタッチすることで、目的の項目の選択が行われる（ステップＳＴ５５）。
【００６８】
以上のようにして、ドラム形状の枠３１に項目の表示があたかも上下方向に回転させるようにして所望の項目を選択することができるのである。
【００６９】
図９及び図１０は、移動方向切替手段により移動方向を切り替えたときの動きを表したものである。図９に示すタイプ１においては、ドラム形状の枠３１に着目したもので、上方向ボタン３３を押すことによって、ドラム形状の枠３１は上方向に回転するイメージで項目が移動する。このタイプ１は、ドラム形状の枠３１に着目しているユーザを想定した動きであり、上方向ボタン３３は、ドラム形状の枠３１を上方向に回転させたいとき、下方向ボタン３４は、ドラム形状の枠３１を下方向に回転させたいときに押下する。
【００７０】
具体的に説明すると、図９（Ａ）に示すように、項目１がカーソル３２で指定されているときに、上方向ボタン３３を押すことにより、図９（Ｂ）に示すように、ドラム形状の枠３１が上方向に回転することで、「項目１」の下部にある「項目２」がカーソル３２の位置になる、更に、上方向ボタン３３を押すことにより、図９（Ｃ）に示すように、「項目２」の下部位置にある「項目３」がカーソル３２の位置になる。
【００７１】
このようにして、上方向ボタン３３を押すことで、ドラム形状の枠３１が上方向にあたかも回り、固定位置のカーソル３２の位置に所望の項目を位置させることができる。下方向ボタン３４を押すと、上方向ボタン３３と逆の動きをする。
【００７２】
一方、タイプ２においては、図１０に示すように、項目に着目したもので、上方向ボタン３３を押すことによって、ドラム形状の枠３１は下方向に回転するイメージで項目が移動する。このタイプ２は、ドラム形状の枠３１ではなく、項目自体に着目しているユーザを想定した動きであり、上方向ボタン３３は、ドラム形状の枠３１の中心（カーソル３２の位置）より上に位置している項目を選択したいとき、下方向ボタン３４は、ドラム形状の枠３１の中心（カーソル３２の位置）より下に位置している項目を選択したいときに押下する。
【００７３】
次に、上記説明したタイプ１及びタイプ２のように移動方向を切り替えるための設定の手法について、図１１に示すフローチャートを参照して以下説明する。
【００７４】
先ず、ＬＣＤパネル１８の画面上にパーソナルメニューを開いて、メニューを開く（ステップＳＴ６１、ＳＴ６２）。
【００７５】
そして、基本設定の項目でないときには、項目を移動させて基本設定の項目をカーソル３２の位置にする（ステップＳＴ６３、ＳＴ６４）。
【００７６】
そして、基本設定の項目がカーソル３２の位置になったときに、その項目をタッチすることで基本設定の項目を選択する（ステップＳＴ６５）。
【００７７】
次に、基本設定の項目がメニュー操作方向でないときには、項目を移動させ、メニュー操作方向であるときには、その項目をタッチすることで選ぶ（ステップＳＴ６６、ＳＴ６７、ＳＴ６８）。
【００７８】
メニュー操作方向を選ぶと、次に、タイプ１或いはタイプ２の項目が表示され、どちらかをタッチすることで、好みのタイプを選択し、選択されたタイプはメモリに記録され、今後選択されたタイプによる項目の選択が行われる（ステップＳＴ６９、ＳＴ７０）。
【００７９】
図１２は、カーソル３２で指定されている項目、実施例では「静止画設定」が、さらにサブメニューをもつ場合で、サブメニューを持つことを示す三角マークのサブメニュー印３５が表示されることを示したものである。
【００８０】
本実施例により、所望の項目を選択するには、ドラム形状の枠３１の中央のカーソル３２の位置まで項目を移動させ、カーソル３２を押すことでカーソル位置にある項目が選択され、三角マークのサブメニュー印３５がなければ機能が実行され、三角マークがあれば、さらにサブメニューが表示される。
【００８１】
このように、所定の項目をドラム形状の枠３１の中央のカーソル３２位置に移動させることで、項目を選択可能にしたので、ユーザは常に中心部に視点を固定して、所望の項目を探すことが可能になり、また、着目している項目の前後も常に把握できることで、ユーザに負担をかけずに項目の選択を行うことができる。
【００８２】
更に、ドラム形状の枠３１は３次元的に表示し、且つ文字のサイズや色の変更だけで実現しているので、処理時間のかかる演算やＲＯＭを特別に必要とすることなく、遠近感を実現しながら、処理スピードを維持することができる。
【００８３】
また、項目の移動方向の切り替えを可能にすることで、ユーザそれぞれの感覚に合わせた回転ができ、ユーザに迷いや誤操作などの負担をかけずに項目の選択を行うことができる。
【００８４】
更に、サブメニューを持つ項目についてのみ、例えば、三角マークのサブメニュー印３５を表示することで、その項目を選択した後、機能が実行されるか、または、次のメニューが出てくるのか、ユーザは予め想像することができ、ユーザは安心して項目の選択をすることができるのである。
【００８５】
次に、本願発明の第３の実施形態の撮像装置について、図面を参照して説明する。
【００８６】
第３の実施形態の撮像装置は、タッチパネル操作が行える画面を備えた撮像装置であり、このタッチパネル操作ができる画面にメニュー選択項目を表示させ、その選択した項目の補助表示をする機能を備えたものである。
【００８７】
この第３の実施形態の撮像装置の構成は、上記第１の実施形態の撮像装置で説明した図１に示すものと同じであるため、その構成の説明は省略する。
【００８８】
図１４は、「メニュー」を選択した後に、タッチパネル操作を行うことができる画面を有するＬＣＤパネル１８上に表示される項目の一覧を示したもので、例えば、「Ｂｌｕｅｔｏｏｔｈ設定」、「パワーセーブ」、「日時あわせ」、「エリア設定」等の項目がドラム状になって一覧表示できる。これらを選択するには、若し上方向の項目を選択するのであれば上方向ボタン３３を押せば良く、下方向の項目を選択するのであれば下方向ボタン３４を押せば良く、カーソル３２の項目を決定するのはＯＫボタン３６を押せばよい。
【００８９】
図１５に示す、タッチパネルを備えた画面を有するＬＣＤパネル１８に表示された項目の一覧表示に対して、今、項目の「日時あわせ」がカーソル３２で選択され、上方向ボタン３３或いは下方向ボタン３４を離すと、その項目、実施例の「日時あわせ」に関する補助表示３７、ここでは「２００３  １  １  ９：１６：２９ｐｍ」が表示される。それも、この補助表示３７は、選択された項目「日時あわせ」の表示に邪魔にならず、且つ「日時あわせ」の項目の近傍位置に表示するようになっている。
【００９０】
この補助表示３７は、上方向ボタン３３或いは下方向ボタン３４をもう一度押すことで、補助表示３７が消え、再び操作したい項目を選べるようになる。
【００９１】
このように、補助表示３７にて、選択したメニュー項目の機能説明を表示することにより、ユーザが取扱説明書を参照しなくとも理解することができるようになる。この補助表示３７は、選択された項目の機能説明に限定されることなく、選択される項目によっては機器の状況に関する情報等を表示するようにしてもよい。
【００９２】
又、補助表示３７にて、選択したメニュー項目の設定状態を表示することにより、簡単に現在の状況を確認することができるようになる。
【００９３】
これは、必要なときにのみ現在の操作状況に応じた補助表示３７を表示することによってユーザに情報をタイムリーに伝えることが可能になる。
【００９４】
図１３は、上記補助表示を表示するための処理を示したフローチャートであり、先ず、項目選択ボタンが押されているときには項目をスクロールさせ、項目選択ボタンが押されていないとき、即ち、離したときに、その離したときの項目に対する補助表示３７（図１５参照）が表示される（ステップＳＴ７１、ＳＴ７２、ＳＴ７３）。
【００９５】
次に、ＯＫボタン３６が押されていない状態で、項目選択ボタンであるカーソル３２が押されると、補助表示３７が消え、項目をスクロールする（ステップＳＴ７４）。
【００９６】
ここで、再度、項目が選択され、カーソル３２が押されていないときには、スクロールされた項目に対する補助表示３７が表示される。
【００９７】
このようにして、項目を選択する際に、必要なときにのみ現在の操作状況に応じた補助表示３７を表示することによってユーザに情報をタイムリーに伝えることが可能になる。
【００９８】
これは、表示可能なエリアが狭くても、一時的に表示することにより表示エリアを有効活用できる。
【００９９】
又、ユーザは情報が必要なときに、特定の決まった簡単な操作で情報を得ることができるのである。
【０１００】
次に、本願発明の第４の実施形態の撮像装置について、図面を参照して説明する。
【０１０１】
第４の実施形態の撮像装置は、タッチパネル操作機能を備えた画面に表示されているボタンを触ると、アニメーションで反応するというものである。
【０１０２】
この第４の実施形態の撮像装置の構成は、上記第１の実施形態の撮像装置で説明した図１に示すものと同じであるため、その構成の説明は省略し、その機能を説明すると、マイクロプロセッサ２４は、再生回路部１６、記録回路部１４、オンスクリーンディスプレイ回路部２２、タッチパネル１９等を制御し、ボタン入力回路部２１やタッチパネル１９からの入力を受け付ける。又、オンスクリーンディスプレイメモリ２３にはオンスクリーンディスプレイ用の画像情報を書き込む。
【０１０３】
ボタン入力回路部２１は、ユーザのボタン入力状態をマイクロプロセッサ２４に伝える。タッチパネル１９は、マイクロプロセッサ２４に制御され、ユーザのタッチパネル入力状態（押された位置も含む）をマイクロプロセッサ２４に伝える。
【０１０４】
再生回路部１６は、マイクロプロセッサ２４に制御され、テープなどに記録された映像（静止画或いは動画）を再生する。
【０１０５】
ＬＣＤパネル１８は、カメラの映像或いは再生回路部１６からの映像、及びオンスクリーンディスプレイ回路部２２からの画像を表示し、ユーザに見えるようにする。
【０１０６】
記録回路部１４は、マイクロプロセッサ２４に制御され、カメラ部１１から入力された映像をテープなどに記録する。
【０１０７】
オンスクリーンディスプレイ回路部２２は、マイクロプロセッサ２４に制御され、オンスクリーンディスプレイメモリ２３からの画像を読み出し、ファインダー上、又は記録される映像に重ねて、ユーザに各種情報を表示する。
【０１０８】
オンスクリーンディスプレイメモリ２３は、オンスクリーンディスプレイ用の画像情報を保持するメモリである。
【０１０９】
このような構成及び機能を備えた撮像装置において、タッチパネル１９を備えたＬＣＤパネル１８からの入力を検知するには、マイクロプロセッサ２４は、タッチパネル回路を制御し、タッチパネル１９からの入力情報としてユーザがタッチパネル１９を触っている座標（横、縦の２方向）を得る。
【０１１０】
タッチパネル１９を備えたＬＣＤパネル１８上にボタンの画像を表示するのは、マイクロプロセッサ２４がオンスクリーンディスプレイ回路部２２を制御しながらオンスクリーンディスプレイメモリ２３にボタンの画像を書き込み、オンスクリーンディスプレイ回路部２２は、マイクロプロセッサ２４に制御され、オンスクリーンディスプレイメモリ２３からの画像を読み出して、タッチパネル操作機能を備えた画面、実施例においてＬＣＤパネル１８、ボタンの画像をアニメーションさせながら表示する。
【０１１１】
図１６は、ＬＣＤパネル１８に表示させたボタンをアニメーション表示するためのフローチャートであり、先ず、マイクロプロセッサ２４は、ＬＣＤパネル１８上にボタンを表示してユーザに示す（ステップＳＴ８１）。
【０１１２】
そして、マイクロプロセッサ２４は、ＬＣＤパネル１８上に表示させたボタンからの入力を検知すると、オンスクリーンディスプレイメモリ２３上にアニメーションの次のコマのボタンの画像を書き込む（ステップＳＴ８２）。
【０１１３】
そして、ＬＣＤパネル１８上のボタンが触られていない場合には、タッチパネル入力情報を取得する（ステップＳＴ８３、ＳＴ８４）。
【０１１４】
そしてアニメーションが終了していないときには、一定時間待ち、次のコマのボタンの画像を書き込む（ステップＳＴ８５、ＳＴ８６）。
【０１１５】
ステップＳＴ８５で、アニメーションが終了したときには、ステップＳＴ８２のタッチパネル入力情報取得に行く（ステップＳＴ８５）。
【０１１６】
こうして次々とある時間間隔ごとにボタンの画像を変えながら表示することで、ユーザからはボタンがアニメーションしているように見える。
【０１１７】
このアニメーションを表現する手法は、図１７に示すように、マイクロプロセッサ２４はオンスクリーンディスプレイメモリ２３にボタン画像を書き込み、オンスクリーンディスプレイ回路部２２でオンスクリーンディスプレイメモリ２３に書き込まれているボタン画像を読み出す。
【０１１８】
次に、マイクロプロセッサ２４は、新しいボタン画像をオンスクリーンディスプレイメモリ２３に書き込む。そして、オンスクリーンディスプレイ回路部２２はオンスクリーンディスプレイメモリ２３に書き込んだ新しいボタン画像を読み出す。
【０１１９】
このようにして、異なるボタン画像の書き込みと読み込みをある時間間隔で繰り返し行うことで、その表示を見るとあたかもアニメーションが動いているようにみえるのである。
【０１２０】
このアニメーションを表示する他の手法について、図１８のフローチャートを参照して、説明する。
【０１２１】
予め、全てのアニメーションのこまをオンスクリーンディスプレイ回路部２２に書いておき、タッチパネル１９を備えたＬＣＤパネル１８上にボタンを表示する（ステップＳＴ９１、ＳＴ９２）。
【０１２２】
このタッチパネル１９からのタッチパネル入力情報を取得し、ＬＣＤパネル１８上のボタンが触られてない場合にはステップＳＴ９３に行き、タッチパネル入力情報を取得する（ステップＳＴ９３）。
【０１２３】
ステップＳＴ９３で、ＬＣＤパネル１８上のボタンが触られているときには、読み出す画像の次のコマの画像に変える（ステップＳＴ９４、ＳＴ９５）。
【０１２４】
そして、アニメーションが終了していない場合には、一定時間待ち、ステップＳＴ９５に行き、読み出す画像を次のコマの画像に変える（ステップＳＴ９６、ＳＴ９７）。
【０１２５】
ステップＳＴ９６で、アニメーションが終了したときには、ステップＳＴ９３に行きタッチパネル入力情報を取得する。
【０１２６】
このアニメーションを表現する手法は、図１９に示すように、予め全てのアニメーションのコマをオンスクリーンディスプレイ回路部２２に書いておき、マイクロプロセッサ２４によってオンスクリーンディスプレイ回路部２２を制御し、オンスクリーンディスプレイ回路部２２からの読出し画像をある時間間隔ごとに連続して変化させながらＬＣＤパネル１８上に表示することで、ユーザからはボタンがアニメーションしているように見えるのである。
【０１２７】
尚、上記示したユーザが触ったときにボタンをアニメーションさせることに限定されることなく、ユーザが触ったボタンが入力を受け付けられる状態ならば、触られたときに入力を受け付けたことを示すアニメーションを表示し、入力を受け付けない状態ならば、触られたときに入力を受け付けなかったことを示すアニメーションを表示し、入力を受け付けない状態ならば、受け付けない状態であることをユーザに示すアニメーションを表示する。
【０１２８】
このように、ＬＣＤパネル１８上に表示するボタンをアニメーションで表示するようにすることで、ユーザは、ボタンを触って機器が反応したことを明確に知ることができる。又、ユーザは、ボタンを触って機器が入力を受け付けたか受け付けなかったかを明確に知ることができる。更に、ユーザはボタンを触る前に機器がそのボタンが入力を受け付ける状態にあるかどうかを明確に知ることができるのである。
【０１２９】
次に、本願発明の第５の実施形態の撮像装置について、図面を参照して説明する。
【０１３０】
第５の実施形態の撮像装置は、タッチパネル操作機能を備えた画面に、タイマーに関する種々の表示をすると共に、その表示されているタイマー表示に付随させて、通信、音、ＬＥＤの点滅等のコンビネーションでタイマー記録の様子を報知するというものである。
【０１３１】
この第５の実施形態のタイマー機能を備えた撮像装置４０は、図２０に示すように、光学部分で、レンズやＣＣＤ（Ｃｈａｒｇｅ  Ｃｏｕｐｌｅｄ  Ｄｅｖｉｃｅｓ）やアイリス（Ｉｒｉｓ）やＮＤ（Ｎｅｕｔｒａｌ  Ｄｅｎｓｉｔｙ）等を使い、レンズに再生する光を電気信号に変換するレンズ部４１と、レンズ部４１で得られた電気信号を処理するものであり、増幅器、Ａ／Ｄ変換器（Ａｎａｌｏｇ  ｔｏ  Ｄｉｇｉｔａｌ  Ｃｏｎｖｅｒｔｅｒ）、Ｄ／Ａ変換器（Ｄｉｇｉｔａｌ  ｔｏ  Ａｎａｌｏｇ  Ｃｏｎｖｅｒｔｅｒ）、比較器、発振器、ＤＳＰ（Ｄｉｇｉｔａｌ  Ｓｉｇｎａｌ  Ｐｒｏｃｅｓｓｏｒ）、フィルタ回路等からなる信号処理部４２と、この信号処理部４２や主記憶装置４３、補助記憶装置４４、制御装置（ＣＰＵ）４５で処理された電気信号を電気的に保存する、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等で形成されている主記憶装置４３と、主記憶装置４３で蓄えられたデータを保存又は制御装置（ＣＰＵ）４５で処理されたデータが蓄えられている８ｍｍテープ、ＤＶテープ（Ｄｉｇｉｔａｌ  Ｖｉｄｅｏ）、磁気テープや、ＨＤＤ（Ｈａｒｄ  Ｄｉｓｋ  Ｄｒｉｖｅ）、記録可能ＤＶＤ（Ｄｉｇｉｔａｌ  Ｖｉｄｅｏ  Ｄｉｓｃ）、ＦＬＡＳＨ  ＲＡＭ等の長期記録可能な記録装置である補助記録装置４４と、制御装置（ＣＰＵ）４５から受け取った電気信号をレンズ部４１へ伝える装置で、電気信号を増幅するなど、レンズのモータ等の電気力を運動の力に変換させる装置を駆動するための駆動装置４６と、信号処理部４２、主記憶装置４３、補助記録装置４４、駆動装置４６、入力装置４７、出力装置４８、表示装置４９、通信装置５０のデータ処理を行う装置で、ＭｉｃｒｏｐｒｏｃｅｓｓｏｒやＣＰＵ（Ｃｅｎｔｒａｌ  Ｐｒｏｃｅｓｓｉｎｇ  Ｕｎｉｔ）等の演算処理可能な制御装置（ＣＰＵ）４５と、撮像装置内部で取扱う電気信号を電波で伝送する場合や通信プロトコルに従う電気信号へ変換する部位で、他の機器と無線・有線や接続形状等の接続形態を選ばない、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎ）やＢｌｕｅｔｏｏｔｈやＩＥＥＥ８０２．１１ｂ等の無線通信規格等の特定ルールに従った無線通信機能、若しくはＩＰＸ／ＳＰＸ（Ｉｎｔｅｒｎｅｔｗｏｒｋ  Ｐａｃｋｅｔ  ｅｘｃｈａｎｇｅ／Ｓｅｑｕｅｎｃ  ｅｄ  Ｐａｃｋｅｔ  ｅＸｃｈａｎｇｅ）やＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のインターネット通信規格に順ずるプロトコル、そのプロトコルに従って伝送する信号をある時系列の信号に並べ、伝送すると共に、受信した時系列信号をプロトコルに従って撮像装置で扱える信号に復元する通信装置５０と、キーボードやマウス、ダイヤログ、ボタン、タッチパネル等の物理的現象が電気信号に変換される入力装置４７と、レンズ部４１や制御装置（ＣＰＵ）４５で得られた電気信号を人の目で認識可能な色、明るさで表示されるもので、液晶等のモニタ装置である表示装置４９と、ＬＥＤ（Ｌｉｇｈｔ  Ｅｍｉｔｔｉｎｇ  Ｄｉｏｄｅ）等の発光装置やスピーカー等の音を発生する等の電気信号を力学エネルギーへ変換する出力装置４８と、から構成されている。
【０１３２】
このような構成からなる撮像装置４０は、映像を補助記録装置４４上に記録する際に、表示装置４９、出力装置４８、通信装置５０を制御装置（ＣＰＵ）４５が連動して動かし、且つ、それら装置への出力表現を変化させることで、映像記録するタイミングを撮影するユーザ或いは被写体側に伝える。
【０１３３】
図２１の実施例は、被写体側でタイマーのＬＥＤ５１が見え、撮影者側で見えるようにした表示装置４９を備えた撮像装置であり、撮像装置の被写体側で見える位置に取り付けられた出力装置４８のＬＥＤ（Ｌｉｇｈｔ  Ｅｍｉｔｔｉｎｇ  Ｄｉｏｄｅ）５１と、撮像装置の記録動作をさせる入力装置４７のボタン５２と、撮影者側に向けた表示装置４９とを表わしている。この表示装置４９には、「丸５」のようなタイマーの駆動を示す表示がなされている。
【０１３４】
ここで、表示装置４９は、図２５に示すように、図２０で構成された撮像装置を使ったとき、制御装置（ＣＰＵ）４５で処理可能なソフトウェアと表示するデータを補助記録装置４４、又は、通信装置５０から表示する画像データや信号を受け取り表示処理し、タッチパネル操作を備えた画面であるＬＣＤパネル５３に表示する。その処理された結果が、表示装置４９上に表示された撮像装置の機能項目一覧である。ここでは、「メニュー」５４が表示されている。又、ＬＣＤパネル５３上に表示されている機能項目一覧を選択するためには、下部位置に備えてある項目選択ボタン５５により行い、決定は、決定ボタン５６により行う。
【０１３５】
図２６は、ＬＣＤパネル５３に項目が表示された例であり、図２５に示す「メニュー」５４が表示されている画面に対して、決定ボタン５６を押すことにより表示された項目である。ここでは、項目Ａ〜Ｚのうち、「セルフタイマー」の項目が選択されている。ここで、決定ボタン５６を押すと「セルフタイマー」が選択され、次に、図２７に示すように、セルフタイマーと連動するか否かの「連動」５７が表示される。この「連動」５７にカーソルを合わせて決定ボタン５６を押せば、セルフタイマーとソフトウェアの連動する機能が決定されることになる。
【０１３６】
図２８は、セルフタイマーに連動される機能を設定した様子を示したものであり、通信と音とＬＥＤとのコンビネーションで生成されており、表示装置４９のＬＣＤパネル５３上にタイマー表示の「丸５」、「丸４」、…と表示されるごとに連動して、通信、音、ＬＥＤがオン／オフするというものである。
【０１３７】
このように、撮影されるまでの表示装置４９の表示の変化と、出力装置４８のＬＥＤの点灯（ＯＮ）・消灯（ＯＦＦ）、スピーカーへの音の「出力のＯＮとＯＦＦのタイミングの一例を横軸時間にして表わす。又、通信は図２０に示す通信装置５０へ送る電気信号、例えば、５ＶのＴＴＬ（Ｔｒａｎｓｉｓｔｏｒ―Ｔｒａｎｓｉｓｔｏｒ  Ｌｏｇｉｃ）の信号を表示装置４９の表現に応じて送る。又、通信は、外部機器からの信号を受け取り、その信号タイミングで表示装置４９のアニメーションを行っても良い。
【０１３８】
次に、実際にどのようにしてセルフタイマー撮影をするかを、図２３に示すフローチャートを参照して、以下説明する。
【０１３９】
先ず、図２１に示すように、撮影者又は被写体の映像を撮像装置が捉えている状態にする。又は、図２２に示すように、撮像装置が捉えている映像が見えるように表示装置４９を図に示すように、撮影者・被写体方向に向ける。
【０１４０】
このような撮影者、被写体が、撮像装置で撮影を行う状況において、先ず、ＬＣＤパネル５３上に「メニュー」と表示されているところで、決定ボタン５６を押す（ステップＳＴ１０１）。
【０１４１】
次に、図２６に示すような画面に移動し、「セルフタイマー」項目を選択し、決定ボタン５６を押す（ステップＳＴ１０２、ＳＴ１０３）。
【０１４２】
すると、図２７に示すように、「連動」５７の項目が表示されるので、連動にカーソルを合わせ、決定ボタン５６を押す（ステップＳＴ１０４、ＳＴ１０５、ＳＴ１０６）。
【０１４３】
これで、セルフタイマーとその連動する機能が決定される（ステップＳＴ１０７）。
【０１４４】
次に、セルフタイマーが設定され、連動が設定され状態での撮影について、図２４に示すフローチャートを参照して説明する。
【０１４５】
セルフタイマーがＯＮの状態で、図２１に示す撮像装置の撮影記録ボタン５２を押すと、セルフタイマーのカウントダウンが始まる（ステップＳＴ１１１、ＳＴ１１２、ＳＴ１１３）。
【０１４６】
その際、時間の経過と共に、図２８に示す表示を表示装置上に行い、残り時間を「丸５」、「丸４」のような絵で表現して更新する（ステップＳＴ１１４、ＳＴ１１５、ＳＴ１１６）。
【０１４７】
カウントダウン中は、図２８の「丸５」、「丸４」の絵に合わせて、撮像装置のＬＥＤを点灯させ、且つ、スピーカーからの音を発生させる。そして、タイマーがゼロになったときに、撮影が行われる（ステップＳＴ１１７、ＳＴ１１８）。
【０１４８】
ここで、カウントダウン中の表現は、図２８に示すように、通信、音、ＬＥＤのコンビネーションで表現するようにしてもよく、また、これに限定されることなく特定のタイミングで出力装置へ出力するものの動作全てをさす。
【０１４９】
このように、現状の撮像装置に特別な装置を付加せず、セルフタイマーの機能を向上させて、撮影者、被写体へ撮影するタイミングを現状より知らせることができることにより、撮影者、被写体は、撮影するタイミングを逃がすことなく、目的の画像を記録することができる。
【符号の説明】
【０１５０】
１１  カメラ部，  １２  カメラ信号処理部，  １３  記録信号切替スイッチ，  １４  記録回路部，  １５  記録／再生メディア，  １６  再生回路部，  １７  表示信号切替スイッチ，  １８  ＬＣＤパネル，  １９  タッチパネル，  ２０  記録再生信号切替スイッチ，  ２１  ボタン入力回路部，  ２２  オンスクリーンディスプレイ回路部，  ２３  オンスクリーンディスプレイメモリ，  ２４  マイクロプロセッサ，  ４１  レンズ部，  ４２  信号処理部，  ４３  主記憶装置，  ４４  補助記録装置，  ４５  制御装置（ＣＰＵ），  ４６  駆動装置，  ４７  入力装置，  ４８  出力装置，  ４９  表示装置，  ５０  通信装置，  ５１  ＬＥＤ，  ５２  ボタン，  ５３  ＬＣＤパネル，  ５４  項目，  ５５  項目選択ボタン，  ５６  決定ボタン
【図１】
2010205280.tif 000003
【図２】
2010205280.tif 000004
【図３】
2010205280.tif 000005
【図４】
2010205280.tif 000006
【図５】
2010205280.tif 000007
【図６】
2010205280.tif 000008
【図７】
2010205280.tif 000009
【図８】
2010205280.tif 000010
【図９】
2010205280.tif 000011
【図１０】
2010205280.tif 000012
【図１１】
2010205280.tif 000013
【図１２】
2010205280.tif 000014
【図１３】
2010205280.tif 000015
【図１４】
2010205280.tif 000016
【図１５】
2010205280.tif 000017
【図１６】
2010205280.tif 000018
【図１７】
2010205280.tif 000019
【図１８】
2010205280.tif 000020
【図１９】
2010205280.tif 000021
【図２０】
2010205280.tif 000022
【図２１】
2010205280.tif 000023
【図２２】
2010205280.tif 000024
【図２３】
2010205280.tif 000025
【図２４】
2010205280.tif 000026
【図２５】
2010205280.tif 000027
【図２６】
2010205280.tif 000028
【図２７】
2010205280.tif 000029
【図２８】
2010205280.tif 000030